(57)【要約】【課題】切断刃の刃先とこの刃先が対向する対向部材との位置関係を精密に調整しなくとも、シートを確実に切断することのできるカッター装置を提供する。【解決手段】回転駆動するシート裁断用切断刃と、この切断刃に対向する受け座とが備えられ、前記切断刃により、前記切断刃と前記受け座との間に介装されるシートを前記切断刃により裁断するようにしたカッター装置において、前記受け座を回転駆動するロール状に形成すると共に、合成樹脂製の切断刃保護シート部材を、前記シートと前記受け座との間に介装して、前記保護シート部材を前記シートの搬送速度に見合う速度で移動させるように成し、また前記保護シート部材を巻き取る一対の巻き取り体を搭載して、一方の巻き取り体にコイル状に巻き取った前記保護シート部材を順次引き出して前記シートと前記受け座との間を通過させた後に他方の巻き取り体に順次巻き取るようにした。【選択図】図１
2010274351.tif 000002
【特許請求の範囲】
【請求項１】
回転駆動するシート裁断用切断刃と、この切断刃に対向する受け座とが備えられ、前記切断刃により、前記切断刃と前記受け座との間に介装されるシートを前記切断刃により裁断するようにしたカッター装置において、合成樹脂製の切断刃保護シート部材を、前記シートと前記受け座との間に介装して、前記保護シート部材を前記シートの搬送速度に見合う速度で移動させるようにしていることを特徴とするカッター装置。
【請求項２】
前記受け座がロール状に形成されて回転することを特徴とする請求項１に記載のカッター装置。
【請求項３】
前記保護シート部材を巻き取る一対の巻き取り体を備え、一方の巻き取り体にコイル状に巻き取った前記保護シート部材を順次引き出して前記シートと前記受け座との間を通過させた後に他方の巻き取り体に順次巻き取るようにしていることを特徴とする請求項１または２に記載のカッター装置。
【請求項４】
前記保護シート材を無端状に形成していることを特徴とする請求項１または２に記載のカッター装置。
【発明の詳細な説明】
【技術分野】
【０００１】
本発明は、搬送装置により搬送されて来る紙などのシートを、回転駆動する切断刃により裁断するようにしたカッター装置に関する。
【背景技術】
【０００２】
一般にこの種のカッター装置としては、回転駆動する切断刃により、シートをその搬送方向に裁断するようにしたスリッターと称されるカッター装置や、同じく回転駆動する切断刃により、搬送方向と直交する方向にシートを裁断するようにしたロータリーカッターと称されるカッター装置などが見受けられる。（特許文献１参照）
スリッターと称されるカッター装置は、円盤状の切断刃と、切断刃の刃先が対向するローラーを備えてなり、このカッター装置によりシートを搬送方向に裁断するに際しては、搬送されて来るシートを切断刃の刃先部分でローラーの外周面に押し付けるようにして裁断するようにしている。
【０００３】
また前記したロータリーカッターと称されるカッター装置にあっても、カッターロータにスパイラル状に取り付けた切断刃と、カッターロータに対向する円柱状のプレーンロータを備えて成り、このロータリーカッター装置によりシートを裁断するに際しては、搬送されて来るシートを切断刃の刃先部分でプレーンロータの外周面に押し付けるようにして裁断するようにしている。
【０００４】
ところで前記したスリッターまたはロータリーカッターと称されるカッター装置では、切断刃の刃先部分をローラーまたはプレーンロータの外周面に押し付けるようにしてシートを裁断することから、切断刃の刃先とこの刃先が対向するローラーまたはプレーンロータとの位置関係を精密に調整しなければならない。
【０００５】
しかしながら以上のカッター装置では、切断刃やローラー又はロータを回転自由に支持する軸受部材などの構成部材の存在により、構成部品間でのガタの発生も多く、そのため、切断刃の刃先とこの刃先が対向するローラー若しくはロータとの位置関係を精密に調整することが非常に困難である。
【先行技術文献】
【特許文献】
【０００６】
【特許文献１】特開平１０−９４９９５号
【発明の概要】
【発明が解決しようとする課題】
【０００７】
本発明は、以上の実情に鑑みて開発したものであって、目的とするところは、切断刃の刃先とこの刃先が対向する対向部材との位置関係を精密に調整しなくとも、シートを確実に切断することのできるカッター装置を提供することにある。
【課題を解決するための手段】
【０００８】
以上の目的を達成するために、請求項１に記載の発明は、回転駆動するシート裁断用切断刃と、この切断刃に対向する受け座とが備えられ、前記切断刃により、前記切断刃と前記受け座との間に介装されるシートを前記切断刃により裁断するようにしたカッター装置において、合成樹脂製の切断刃保護シート部材を、前記シートと前記受け座との間に介装して、前記保護シート部材を前記シートの搬送速度に見合う速度で移動させるようにしていることを特徴とする。
【０００９】
請求項２に記載の発明は、請求項１に記載のカッター装置において、前記受け座がロール状に形成されて回転することを特徴とする。
【００１０】
請求項３に記載の発明は、請求項１または２に記載のカッター装置において、前記保護シート部材を巻き取る一対の巻き取り体を備え、一方の巻き取り体にコイル状に巻き取った前記保護シート部材を順次引き出して前記シートと前記受け座との間を通過させた後に他方の巻き取り体に順次巻き取るようにしていることを特徴とする。
【００１１】
請求項４に記載の発明は、請求項１または２に記載のカッター装置において、前記保護シート材を無端状に形成していることを特徴とする。
【発明の効果】
【００１２】
請求項１に記載の発明によれば、シートが保護シート部材上に載った状態で搬送されるので、保護シート部材がシートの搬送に支障を及ぼすことがないのは勿論のこと、シートのフリーランが抑制され、シートの切断長さが安定する。
【００１３】
また切断刃の各刃先が、保護シート部材で受け止められて、受け座に直接接触することがないので、切断刃と受け座との隙間管理を従来のように精密に行なわなくとも、切断刃の各刃先を確実に保護することが出来、しかもシートを確実に裁断することが出来るし、また切断刃として従来採用が難しかった薄刃を用いることが出来、シートの切断面を従来よりもシャープな切り口とすることも可能で、全体として高品質のカットシートに仕上げることが出来る。
【００１４】
請求項２に記載の発明によれば、請求項１に記載の前記受け座がロール状に形成されて回転するようにしたことにより、請求項１に記載の発明の効果に加え、保護シート部材をより一層スムーズに移動させることが出来る。
【００１５】
請求項３に記載の発明によれば、請求項１に記載のカッター装置において、前記保護シート部材を巻き取る一対の巻き取り体を設けて、一方の巻き取り体にコイル状に巻き取った前記保護シート部材を順次引き出して前記シートと前記受け座との間を通過させた後に他方の巻き取り体に順次巻き取るようにしたことにより、第１巻き取り体に巻かれていた保護シート部材が第２巻き取り体に巻き取られた後、第２巻き取り体に巻き取られた保護シート部材の終端部を、再度、カッター装置の受け座と保護シート部材との間に介装した上で第１巻き取り体に接続することで、請求項１または２に記載の発明の効果に加え、高価な保護シート部材の両面を利用することが可能となり、全体としてランニングコストの低減化が図れる。
【００１６】
請求項４に記載の発明によれば、請求項１または２に記載のカッター装置において、前記保護シート材を無端状に形成したことにより、請求項１または２に記載の発明の効果に加え、保護シート部材を何度も旋回させて、刃先の接触により多数の傷がついて使えなくなるまで保護シート部材を使用することが出来、全体としてランニングコストの低減化が図れる。
【図面の簡単な説明】
【００１７】
【図１】本発明にかかるカッター装置を備えたシート裁断機の概略説明図。
【図２】図１に示すシート裁断機を平面から見た概略説明図。
【図３】図１に示すシート裁断機の要部の作動説明図。
【図４】図１に示すシート裁断機の要部の作動説明図。
【図５】裁断機の別の実施形態を示す概略説明図。
【図６】裁断機の更に別の実施形態を示す概略説明図。
【発明を実施するための形態】
【００１８】
以下、本発明にかかるカッター装置の一実施形態を説明する。
【００１９】
先ず、図１はシート裁断機の概略説明図、
図２は、図１に示すシート裁断機を平面から見た概略説明図、
図３は、図１に示すシート裁断機の要部の作動説明図、
図４は、図１に示すシート裁断機の要部の作動説明図、
図５は、裁断機の別の実施形態を示す概略説明図、
図６は、裁断機の更に別の実施形態を示す概略説明図である。
【００２０】
図１及び図２に概略的に示すシート裁断機は、基本的には、連続シートＰを一定速度で引き出すピンチロール装置１と、連続シートＰを搬送方向に切断するための第１カッター装置２と、シートとしての連続シートＰを引き揃えるフィードロール装置３と、連続シートをその搬送方向と直交する方向に切断するための第２カッター装置４と、第１カッター装置２によりカットされる連続シートＰの幅方向両端部のいわゆる耳部を回収するためのトリムワインダー装置５とが備えられている。
【００２１】
このシート裁断機は、ロール状に巻かれた連続シートＰを、前記したピンチロール装置１により引き出して第１カッター装置２に送り込み、この第１カッター装置により搬送方向に切断すると共に、この第1カッター装置２により搬送方向に切り揃えられた連続シートＰを、フィードロール装置３を介して第２カッター装置４に送り込み、この第２カッター装置４により所定の長さのカットシートに順次裁断するようにしている。
【００２２】
第１カッター装置２は、搬送されてくる連続シートＰを、後記する耳部切断刃２１及び幅決め切断刃２２により搬送方向に裁断するのであって、一般的にスリッターと称されているものである。
【００２３】
この第１カッター装置２は、連続シートＰの幅方向両端部の所謂耳部分を切り落とすための円板形の耳部切断刃２１と、カットシートの幅を決める円板形の幅決め切断刃２２と、これら両切断刃２１・２２の外周縁に形成された刃先に対向して配置された本発明の受け座を構成する円柱状のロール２３とが備えられている。
【００２４】
耳部切断刃２１及び幅決め切断刃２２は、連続シートＰの搬送方向に直交する方向に移動可能に設けられている。
【００２５】
前記した両切断刃２１・２２及びロール２３は、モータ２４により回転駆動される。
【００２６】
また第２カッター装置４は、連続シートＰをその搬送方向と直交する方向に切断して所定の長さのカットシートに裁断するものであって、一般的にロータリーカッターと称されているものである。
【００２７】
この第２カッター装置４は、図１にも示すように、基本的には、カッターロータ４１と、このカッターロータ４１の外周面に取り付けられた切断刃４２と、この切断刃４２の刃先に対向して配置された本発明の受け座を構成するプレーンロータ４３とが備えられている。
【００２８】
カッターロータ４１及びプレーンロータ４３は、モータ４４により回転駆動され、前記した切断刃４２は、カッターロータ４１の外周面の２箇所に軸方向に対してスパイラル状に取り付けられている。
【００２９】
そして図１〜図２に示す実施形態では、以上のシート裁断機の第１カッター装置２と第２カッター装置４に本発明を適用しているのであって、合成樹脂製の保護シート部材６を、第１カッター装置２におけるロール２３とこのロール２３上を搬送する連続シートＰとの間から第２カッター装置４におけるプレーンロータ４３とこのプレーンロータ４３上を搬送する連続シートＰとの間に介装するとともに、この保護シート部材６を連続シートＰの搬送速度に見合う速度、換言すれば連続シートＰの搬送速度とほぼ同一速度で且つ同一方向に移動させるようにしている。
【００３０】
即ち、図１〜図２に示す実施形態では、保護シート部材６を巻き取り可能な一対の第１巻き取り体６１及び第２巻取り体６２と、保護シート部材６を移動させるための複数の回転駆動ローラー６３とが備えられ、回転駆動ローラー６３の回転駆動により、第１巻き取り体６１にコイル状に巻き取った保護シート部材６を順次引き出して、第１カッター装置２におけるロール２３とこのロール２３上を搬送する連続シートＰとの間、フィードロール装置３、第２カッター装置４におけるプレーンロータ４３とこのプレーンロータ４３上を搬送する連続シートＰとの間を順次通過させた後に第２巻き取り体６２にコイル状に巻き取るようにしている。
【００３１】
保護シート部材「商品名（ルミナ）」６は、厚さ０．１ｍｍ〜０．５ｍｍ程度のポリエチレン製硬質シート材を用いている。
【００３２】
尚、図中７はシートの搬送装置を構成する複数の搬送ローラー、８は第２カッター装置４によりカットされたカットシートを搬送するための搬送機構、９は搬送機構８により搬送されるカットシートの積載台を示す。
【００３３】
以上のシート裁断機では、シートの搬送装置を構成する複数の搬送ローラー７を介して搬送されて来る連続シートＰは、先ず第１カッター装置２の耳部切断刃２１と幅決め切断刃２２により、長さ方向に切断されて、切断された連続シートＰの幅方向両端部の耳部分は、トリムワインダー５に巻き取られる一方、耳部分以外の長さ方向に切断された連続シートＰは、フィードロール装置３を介して第２カッター装置4に搬送されて、カッターロータ４１の切断刃４２により所定長さのカットシートに切断される。
【００３４】
ところで、以上のシート裁断機では、回転駆動ローラー６３の回転駆動により、図３（ａ）または図４（ａ）に示すように、第１巻き取り体６１にコイル状に巻き取った保護シート部材６が順次引き出されて、連続シートＰの搬送速度と同一速度で且つ同一方向に順次移動しながら、第１カッター装置２におけるロール２３とこのロール２３上を搬送する連続シートＰとの間からフィードロール装置３更には第２カッター装置４におけるプレーンロータ４３とこのプレーンロータ４３上を搬送する連続シートＰとの間を順次通過した後に第２巻き取り体６２にコイル状に巻き取られると共に、連続シートＰは保護シート部材6上に載った状態で搬送される。
【００３５】
従って、以上のシート裁断機では、保護シート部材６が連続シートＰの搬送に支障を及ぼすことがないのは勿論のこと、カッターロータ４１の切断刃４２により、例えば５０ｍｍ程度の所謂短尺切りとしたカットシートも容易に得ることが可能となるし、また連続シートＰのフリーランが抑制されるので、カットシートの切断長さ及び菱精度が安定する。
【００３６】
また以上のシート裁断機では、耳部切断刃２１、幅決め切断刃２２、切断刃４２の各刃先が、保護シート部材６で受け止められて、ロール２３やプレーンロータ４３にダイレクトに接触することがない。
【００３７】
従って、例えば第１カッター装置２における耳部切断刃２１及び幅決め切断刃２２とロール２３との隙間管理や、第２カッター装置４における切断刃４２とプレーンロータ４３との隙間管理を従来のように精密に行なわなくとも、耳部切断刃２１、幅決め切断刃２２、切断刃４２の各刃先を確実に保護することが出来、しかも連続シートＰを確実に裁断することが出来る。
【００３８】
また耳部切断刃２１、幅決め切断刃２２、切断刃４２の各刃先が、ロール２３やプレーンロータ４３に直接接触しないので、従来採用が難しかった薄刃を用いることが出来、連続シートＰの切断面を従来よりもシャープな切り口とすることが出来るし、また第１カッター装置２と第２カッター装置４での切り口も同一となり、全体として高品質のカットシートに仕上げることが出来る。
【００３９】
一方、保護シート部材６は、連続シートＰの搬送速度と同一速度で且つ同一方向に順次移動して、下流側に位置する第２巻き取り体６２に巻き取られるので、この保護シート部材６が連続シートＰの搬送に支障を及ぼすことがない。
【００４０】
そして第１巻き取り体６１に巻かれていた保護シート部材６が、図３（ｂ）または図４（ｂ）に示すように、第２巻き取り体６２に巻き取られたならば、図３（ｃ）または図４（ｃ）に示すように、第２巻き取り体６２に巻き取られた保護シート部材６の終端部を、再度、第１カッター装置２、フィードロール装置３、第２カッター装置４を順次通過させた上で第１巻き取り体６１に接続する。
【００４１】
この状態から第1巻取り体６１及び第２巻取り体６２を逆転方向に回転駆動させることで、保護シート部材６は、先ほどとは反対側の面が刃先と対向した状態で、連続シートＰの搬送速度と同一速度で且つ同一方向に順次移動しながら、第１カッター装置２におけるロール２３とこのロール２３上を搬送する連続シートＰとの間からフィードロール装置３更には第２カッター装置４におけるプレーンロータ４３とこのプレーンロータ４３上を搬送する連続シートＰとの間を順次通過した後に、図３（ｄ）または図４（ｄ）に示すように、第１巻き取り体６１にコイル状に巻き取られる。
【００４２】
斯くして以上のシート裁断機では、高価な保護シート部材６の両面を利用することが出来るので、ランニングコストの低減化が図れる。
【００４３】
尚、図５に示すように、第１カッター装置２の幅決め切断刃２２を連続シートＰの搬送経路中の上流側と下流側の二箇所に設けるとともに、この上流側と下流側の幅決め切断刃２２を平面視千鳥状に配置してもよく、これにより、狭いスリット幅での連続シートＰの切断が可能となる。
【００４４】
次に図６に示すカッター装置は、保護シート部材６を旋回移動させるための複数の回転駆動ローラー６３が備えられ、これら回転駆動ローラー６３間に無端状の保護シート部材６を張設したものである。
【００４５】
以上の図６に示すシート裁断機では、回転駆動ローラー６３の駆動により、刃先の接触により多数の傷がついて使えなくなるまで保護シート部材６を旋回させ、保護シート部材６が多数の傷により使用不能となった時点で、新しい無端状の保護シート部材６と交換すればよい。
【００４６】
斯くして以上の図６に示すシート裁断機では、図１又は図５に示すシート裁断機よりも小型化が図れる。
【００４７】
以上の実施形態では、第１カッター装置２と第２カッター装置４とに本発明を適用したが、第１カッター装置２と第２カッター装置４のいずれか一方にのみ本発明を適用してもよい。
【符号の説明】
【００４８】
２      第１カッター装置
２１    耳部切断刃
２２    幅決め切断刃
２３    ロール
３      フィードロール装置
４      第２カッター装置
４１    カッターロータ
４２    切断刃
４３    プレーンロータ
５      トリムワインダー装置
６      保護シート部材
７      搬送ローラー
Ｐ      連続シート（シート）
【図１】
2010274351.tif 000003
【図２】
2010274351.tif 000004
【図３】
2010274351.tif 000005
【図４】
2010274351.tif 000006
【図５】
2010274351.tif 000007
【図６】
2010274351.tif 000008